(57)【要約】【課題】回転ドラムの揺動に伴う室内寸法の変化によるチップ部品の電極部の傷や欠けを防止できるチップ部品の整列供給装置を提供する。【解決手段】一方向に回転駆動される回転ドラム３と該回転ドラム３を回転可能に支持する固定ドラム４との間に形成されたチップ部品貯留室Ａと、上記回転ドラム３の外周に形成され上記チップ部品貯留室Ａ内のチップ部品Ｃを整列させて排出する部品排出部１２とを有するチップ部品の整列供給装置において、上記固定ドラム４に、回転ドラム３が軸方向に揺動することにより上記チップ部品貯留室Ａの室内寸法が変化するのを防止する室内寸法保持部材１５を設ける。【選択図】      図３
2004338929.tif 000002
【特許請求の範囲】
【請求項１】
一方向に回転駆動される回転ドラムと該回転ドラムを回転可能に支持する固定ドラムとの間に形成されたチップ部品貯留室と、上記回転ドラムの外周に形成され上記チップ部品貯留室内のチップ部品を整列させて排出する部品排出部とを有するチップ部品の整列供給装置において、上記回転ドラムと固定ドラムとの間に、該回転ドラムが軸方向に揺動することにより上記チップ部品貯留室の室内寸法が変化するのを防止する室内寸法保持手段を設けたことを特徴とするチップ部品の整列供給装置。
【請求項２】
請求項１において、上記室内寸法保持手段が、上記固定ドラムに該固定ドラムから回転ドラムの内側面に沿って延びる隔壁を形成して構成されており、該隔壁と固定ドラムの内側面との間で上記チップ部品貯留室が形成されていることを特徴とするチップ部品の整列供給装置。
【請求項３】
請求項１において、上記室内寸法保持手段が、上記回転ドラムに該回転ドラムから固定ドラムの内側面に沿って延びる隔壁を形成して構成されており、該隔壁と回転ドラムの内側面との間で上記チップ部品貯留室が形成されていることを特徴とするチップ部品の整列供給装置。
【請求項４】
請求項１ないし３の何れかにおいて、上記回転ドラムには、上記チップ部品貯留室を部品収納部と部品整列部とに画成する仕切り壁が形成されており、少なくとも部品収納部に上記室内寸法保持手段が設けられていることを特徴とするチップ部品の整列供給装置。
【請求項５】
請求項４において、上記仕切り壁には、該仕切り壁に続いて上記固定ドラムの内側面に沿って延びる隔壁が一体形成されており、該隔壁と回転ドラムの内側面とで上記部品整列部が形成されていることを特徴とするチップ部品の整列供給装置。
【発明の詳細な説明】
【０００１】
【発明の属する技術分野】
本発明は、多数のチップ部品を所定の姿勢となるように整列させて排出するようにした整列供給装置に関する。
【０００２】
【従来の技術】
この種の整列供給装置の一例として、従来、図８，図９に示す構造のものがある。これは回転軸５０を介して一方向に回転駆動される回転ドラム５１と、該回転ドラム５１を支持する固定ドラム５２との間に部品収納部５３及び部品整列部５４を形成し、上記固定ドラム５２に部品収納部５３に連通する部品供給部５５を形成するとともに、回転ドラム５１の外周に上記部品整列部５４に連通する部品排出部５６を形成した構造となっている（例えば、特許文献１参照）。
【０００３】
上記整列供給装置では、回転ドラム５１を回転しつつ部品収納部５３に供給された多数のチップ部品Ｃを部品整列部５４に送り込み、該部品整列部５４にて一列に整列させて部品排出部５６から排出するようになっている。
【０００４】
【特許文献１】
特許第３２３３０７２号
【０００５】
【発明が解決しようとする課題】
ところが、上記従来装置では、回転ドラムの加工誤差によるがたやたわみ等によって回転ドラム５１が軸方向に揺動する場合がある。その結果、回転ドラム５１と固定ドラム５２との間の距離，つまり部品収納部５３や部品整列部５４の室内寸法が僅かに変化し、回転ドラム５１によりチップ部品群が固定ドラム５２側に押し付けられ、場合によってはチップ部品Ｃの電極部が傷ついたり，欠けたりするという懸念がある。
【０００６】
また上記チップ部品Ｃへの押し付け力と回転ドラム５１の相対回転によって部品収納部５３内のチップ部品群が撹拌され、チップ部品Ｃ同士の繰り返しの衝突やドラム内壁との摩擦によってチップ部品Ｃの黒色化が生じ、プリント基板への半田付け不良が生じるおそれがある。
【０００７】
本発明は、上記従来の状況に鑑みてなされたもので、回転ドラムの揺動に伴う室内寸法の変化によるチップ部品の電極部が傷つくのを防止でき、かつチップ部品の黒色化による半田付け不良を防止できるチップ部品の整列供給装置を提供することを目的としている。
【０００８】
【課題を解決するための手段】
請求項１の発明は、一方向に回転駆動される回転ドラムと該回転ドラムを回転可能に支持する固定ドラムとの間に形成されたチップ部品貯留室と、上記回転ドラムの外周に形成され上記チップ部品貯留室内のチップ部品を整列させて排出する部品排出部とを有するチップ部品の整列供給装置において、上記回転ドラムと固定ドラムとの間に、該回転ドラムが軸方向に揺動することにより上記チップ部品貯留室の室内寸法が変化するのを防止する室内寸法保持手段を設けたことを特徴としている。
【０００９】
請求項２の発明は、請求項１において、上記室内寸法保持手段が、上記固定ドラムに該固定ドラムから回転ドラムの内側面に沿って延びる隔壁を形成して構成されており、該隔壁と固定ドラムの内側面との間で上記チップ部品貯留室が形成されていることを特徴としている。
【００１０】
請求項３の発明は、請求項１において、上記室内寸法保持手段が、上記回転ドラムに該回転ドラムから固定ドラムの内側面に沿って延びる隔壁を形成して構成されており、該隔壁と回転ドラムの内側面との間で上記チップ部品貯留室が形成されていることを特徴としている。
【００１１】
請求項４の発明は、請求項１ないし３の何れかにおいて、上記回転ドラムには、上記チップ部品貯留室を部品収納部と部品整列部とに画成する仕切り壁が形成されており、少なくとも部品収納部に上記室内寸法保持手段が設けられていることを特徴としている。
【００１２】
請求項５の発明は、請求項４において、上記仕切り壁には、該仕切り壁に続いて上記固定ドラムの内側面に沿って延びる隔壁が一体形成されており、該隔壁と回転ドラムの内側面とで上記部品整列部が形成されていることを特徴としている。
【００１３】
【発明の作用効果】
請求項１の発明に係る整列供給装置によれば、回転ドラムと固定ドラムとの間にチップ部品貯留室の室内寸法が変化するのを防止する室内寸法保持手段を設けたので、チップ部品に不要な押し付け力が作用するのを防止でき、電極部の傷や欠けを防止できる。
【００１４】
ここで上記室内寸法保持手段は、例えば請求項２の発明のように、固定ドラムに回転ドラムの内側面に沿って延びる隔壁を形成することにより、あるいは請求項３の発明のように、回転ドラムに固定ドラムの内側面に沿って延びる隔壁を形成することにより実現できる。このようにしてチップ部品貯留室は隔壁と該隔壁が形成されたドラム内壁面とで囲まれることとなり、回転ドラムが軸方向に揺動してもチップ部品貯留室の室内寸法が変化することはない。
【００１５】
またチップ部品貯留室が独立した構造となるので、従来の回転ドラムと固定ドラムとでチップ貯留室を形成する場合に比べてチップ部品の過剰な撹拌を防止でき、チップ部品同士の衝突やドラム内壁との摩擦を抑制でき、ひいてはチップ部品の黒色化による半田付け不良を防止できる。
【００１６】
請求項４の発明では、回転ドラムに形成された仕切り壁によりチップ部品貯留室を部品収納部と部品整列部とに画成し、少なくとも部品収納部に室内寸法保持手段を設けたので、回転ドラムの揺動による押し付け力が作用し易い部品収納部でのチップ部品の電極部の傷や欠けを防止できる。
【００１７】
請求項５の発明では、仕切り壁に固定ドラムの内側面に沿って延びる隔壁を形成し、該隔壁と回転ドラムの内側面とで部品整列部を形成したので、チップ部品の整列時に押し付け力が作用するのを防止でき、チップ部品の電極部の傷や欠けを防止できる。
【００１８】
【発明の実施の形態】
以下、本発明の実施の形態を添付図面に基づいて説明する。
【００１９】
図１ないし図３は、請求項１，２，４，５の発明の一実施形態によるチップ部品の整列供給装置を説明するための図であり、図１は整列供給装置の断面正面図、図２，図３は整列供給装置の断面側面図である。
【００２０】
図において、１は多数のチップ部品Ｃを一列に整列させて連続的に排出する整列供給装置を示しており、これは駆動モータ２により回転駆動される回転ドラム３と、該回転ドラム３を回転可能に支持する固定ドラム４とを備えている。この回転ドラム３及び固定ドラム４の内側面にはチップ部品貯留室Ａを構成する凹部３ａ，４ａがそれぞれ形成されている。この固定ドラム４の凹部４ａ内に回転ドラム３が装着され、該回転ドラム３の外周面３ｂは固定ドラム４の内周面４ｂに摺接している。
【００２１】
上記回転ドラム３の軸芯にはボス部３ｃが形成されており、該ボス部３ｃには回転軸５が挿入固定されており、該回転軸５は固定ドラム４に軸受６を介して支持されている。また回転軸５の外端部には上記駆動モータ２の出力軸２ａに連結された駆動ベルト７が連結されており、該駆動モータ２により回転ドラム３は時計周り（矢印ａ方向）に回転駆動される。
【００２２】
上記回転ドラム３には上記チップ部品貯留室Ａを部品収納部１０と部品整列部１１とに画成する仕切り壁３ｄが形成されている。また上記固定ドラム４の上壁には部品投入部４ｃが形成され、該部品投入部４ｃには延長下方に延びる部品供給通路４ｄが接続形成されており、該部品供給通路４ｄの下端供給口４ｅは上記部品収納部１０内に開口している。
【００２３】
上記固定ドラム４の内周面４ｂには部品排出部１２が形成されている。この部品排出部１２は回転ドラム３の外周面３ｂに沿って延びる案内溝４ｆと、該案内溝４ｆに続いて直線状に傾斜して延びる排出通路４ｇとからなり、該排出通路４ｇの下端には排出口４ｈが形成されている。上記案内溝４ｆは回転ドラム３の周方向略１／４に渡る長さとなっている。
【００２４】
上記部品整列部１１は、上記仕切り壁３ｄの内周面に形成された周方向に延びるシュート溝３ｅと、回転ドラム３の外周部に略接線方向に延び，かつ周方向に所定間隔をあけて形成された６つのゲート溝３ｆと、各ゲート溝３ｆとシュート溝３ｅとの間に形成されたテーパ部３ｇとを備えている。上記シュート溝３ｅの溝幅，溝深さはチップ部品Ｃが横向きに一列に整列する大きさに設定されている。また上記各ゲート溝３ｆは、回転ドラムの回転により案内溝４ｆに連通するようになっており、該連通時にチップ部品Ｃを１つずつ上記案内溝４ｆに送り込むように構成されている。また上記シュート溝３ｅには各ゲート溝３ｆの中間に位置するように爪部３ｈが形成されている。この爪部３ｈは部品収納部１０内の供給口４ｅの下方に滞留したチップ部品Ｃをシュート溝３ｅに案内する機能を有している。
【００２５】
そして上記固定ドラム４には、回転ドラム３が軸方向に揺動することにより部品収納部１０の軸方向室内寸法が変化するのを防止する室内寸法保持部材１５が設けられている。
【００２６】
この室内寸法保持部材１５は、固定ドラム４の軸芯部に接続固定された円筒部１５ａと、該円筒部１５ａに一体形成された円板状の隔壁１５ｂとから構成されている。この隔壁１５ｂは上記回転ドラム３の凹部３ａの底壁面に沿って延び、該底壁面に若干の隙間があけて対向している。また上記円筒体１５ａには上記ボス部３ｃが挿入されており、該ボス部３ｃにより支持されている。この円筒部１５ａと隔壁１５ｂと固定ドラム４の内側面とで囲まれた空間により上記部品収納部１０が形成されている。
【００２７】
また上記回転ドラム３の仕切り壁３ｄには固定ドラム４の内側面に沿って延びる隔壁３ｉが一体形成されており、該隔壁３ｉと仕切り壁３ｄと回転ドラム３の内側面とで囲まれた空間により上記部品整列部１１が形成されている。
【００２８】
次に本実施形態の作用効果について説明する。
【００２９】
部品投入口４ｃから多数のチップ部品Ｃを投入し、回転ドラム３を回転駆動する。すると部品投入口４ｃから投入されたチップ部品Ｃが部品供給通路４ｄを通って供給口４ｅから部品収納部１０内に供給され、各チップ部品Ｃは爪部３ｈにより押し上げられてシュート溝３ｅ内に入り込み、該シュート溝３ｅからテーパ部３ｇ内に送り込まれ、ここで一列に整列してゲート溝３ｆに入り込む。そしてチップ部品Ｃは１つずつ一列にゲート溝３ｆから案内溝４ｆに送られ、チップ部品Ｃの自重により案内溝４ｆから排出通路４ｇを滑り落ちて排出口４ｈから排出される。
【００３０】
ところで、回転ドラム３の加工誤差による回転軸５のがたやたわみ等によって回転ドラム５１が軸方向に揺動した場合には、部品収納部１０，部品整列部１１の室内寸法が変化し、チップ部品Ｃの電極部が欠けたり黒色化したりするという懸念があった。
【００３１】
これに対して本実施形態では、円筒部１５ａと回転ドラム３の内側面を覆うように延びる隔壁１５ｂとからなる室内寸法保持部材１５を固定ドラム４に接続固定し、該室内寸法保持部材１５と固定ドラム４の内側面とで部品収納部１０を形成したので、上述のように回転ドラム３が軸方向に揺動しても部品収納部１０の室内寸法が変化することはなく、チップ部品Ｃに不要な押し付け力が作用するのを防止でき、チップ部品Ｃの電極部が傷ついたり欠けたりするのを防止できる。
【００３２】
また上記室内寸法保持部材１５を固定ドラム４に固定して独立した部品収納部１０を形成したので、部品収納部１０内でチップ部品Ｃが過剰に撹拌されるのを防止でき、チップ部品同士の衝突やドラム内壁との摩擦を抑制でき、ひいてはチップ部品Ｃの黒色化によるプリント基板への半田付け不良を防止できる。
【００３３】
本実施形態では、上記回転ドラム３に形成された仕切り壁３ｄによりチップ部品貯留室Ａを部品収納部１０と部品整列部１１とに画成し、該部品収納部１０に上記室内寸法保持部材１５を設けたので、回転ドラム３の揺動による押し付け力が最も作用し易い部品収納部１０でのチップ部品Ｃの傷，欠けを防止できる。
【００３４】
また本実施形態では、上記仕切り壁３ｄに固定ドラム４の内側面に沿って延びる隔壁３ｉを一体形成し、該隔壁３ｉと仕切り壁３ｄと回転ドラム３の内側面とで部品整列部１１を形成したので、チップ部品Ｃを一列に整列させて送り出す際に該チップ部品Ｃに押し付け力が作用するのを防止でき、部品整列部１１でのチップ部品の傷，欠けを防止できる。
【００３５】
なお、上記実施形態では、上記隔壁３ｉと仕切り壁３ｄと回転ドラム３の内側面とで部品整列部１１を形成した場合を説明したが、本発明では、必ずしも部品整列部に隔壁を設ける必要はない。
【００３６】
図４，図５は上記実施形態の変形例を示す図であり、図中、図２，図３と同一符号は同一又は相当部分を示す。
【００３７】
本変形例では、部品収納部１０に室内寸法保持部材１５を設け、部品整列部１１は従来と同様に回転ドラム３と固定ドラム４との間に形成した例である。この場合には、部品整列部１１のゲート溝３ｆの溝幅ｆが室内寸法の変化の最大値となるように設定することにより、チップ部品Ｃに押し付け力が作用するのを防止できる。このようにした場合には、隔壁３ｉを省略できるので、回転ドラム３の構造を簡略化できるとともに、コストを低減できる。
【００３８】
図６及び図７は、請求項３の発明の一実施形態による整列供給装置を説明するための図である。図中、図２，図３と同一符号は同一又は相当部分を示す。
【００３９】
本実施形態の整列供給装置は、回転ドラム３と固定ドラム４との間にチップ部品貯留室Ａを画成する部品収納部１０及び部品整列部１１を形成して構成されており、基本的な構造は上記実施形態と略同様である。
【００４０】
そして本実施形態では、上記回転ドラム３に該回転ドラム３の揺動による室内寸法の変化を防止する室内寸法保持部３ｋを一体形成して構成されている。この室内寸法保持部３ｋは、回転ドラム３の仕切り壁３ｄにこれに続いて固定ドラム４の凹部４ａに沿って部品収納部１０側に延びる隔壁３ｍと、部品整列部１１側に延びる隔壁３ｎとを一体形成して構成されている。
【００４１】
上記隔壁３ｍの回転ドラム３の回転中心部には上記固定ドラム４の供給口４ｅに連通するチップ部品供給口３ｐが形成されている。また上記回転ドラム３はこれの外周面３ｂに装着された軸受２０により回転可能に支持されている。これにより回転ドラム３の回転軸を不要にでき、部品収納部１０の収納容量を大きくできる。
【００４２】
本実施形態では、回転ドラム３の仕切り壁３ｄにこれに続いて固定ドラム４の凹部４ａに沿って部品収納部１０側に延びる隔壁３ｍと部品整列部１１側に延びる隔壁３ｎとを一体形成したので、回転ドラム３が軸方向に揺動しても部品収納部１０及び部品整列部１１の室内寸法が変化することはなく、チップ部品Ｃに不要な押し付け力が作用するのを防止でき、チップ部品Ｃの傷や欠けを防止できるとともに、チップ部品Ｃの黒色化によるプリント基板への半田付け不良を防止でき、上記実施形態と同様の効果が得られる。
【図面の簡単な説明】
【図１】請求項１，２，４，５の発明の一実施形態によるチップ部品の整列供給装置を説明するための断面正面図である。
【図２】上記整列供給装置の断面側面図である。
【図３】上記整列供給装置の断面側面図である。
【図４】上記実施形態の変形例による整列供給装置の断面側面図である。
【図５】上記変形例による整列供給装置の断面側面図である。
【図６】請求項３の発明の一実施形態による整列供給装置の断面側面図である。
【図７】上記整列供給装置の断面側面図である。
【図８】従来の一般的な整列供給装置の断面側面図である。
【図９】従来の問題点を示す整列供給装置の断面側面図である。
【符号の説明】
１                整列供給装置
３                回転ドラム
３ｄ              仕切り壁
３ｉ，３ｍ，３ｎ  隔壁
３ｋ              室内寸法保持部
４                固定ドラム
１０              部品収納部
１１              部品整列部
１２              部品排出部
１５              室内寸法防止部材
１５ｂ            隔壁
Ａ                チップ部品貯留室
Ｃ                チップ部品
【図１】
2004338929.tif 000003
【図２】
2004338929.tif 000004
【図３】
2004338929.tif 000005
【図４】
2004338929.tif 000006
【図５】
2004338929.tif 000007
【図６】
2004338929.tif 000008
【図７】
2004338929.tif 000009
【図８】
2004338929.tif 000010
【図９】
2004338929.tif 000011